(57)【要約】【課題】  カシメパイプを光ファイバケーブルの先端から外被の中に押し込むに際し、面倒な挿入作業を必要とせずに自動的に容易に押し込むことができ、しかもカシメパイプの挿入位置決めを精確に行えるようにする。【解決手段】  互いに反対方向へバネ力により付勢されるケーブル保持ブロック２と芯線挿通ブロック３とが対向配置され、ケーブル保持ブロック２は、ブロック本体２Ａの上面に、芯線に挿入されているカシメパイプＳを前端から突出させるよう光ファイバケーブルＰのケーブル保持部９が形成されており、一方、芯線挿通ブロック３は、ブロック本体３Ａのケーブル保持部９に挿通してその前端から突出させたカシメパイプＳのストッパー部１１が後端に形成されると共に、カシメパイプＳを当該ストッパー部１１に係止させた状態で光ファイバケーブルの芯線のみを挿通させる芯線挿通部１２が形成される。【選択図】          図１
2006154652.tif 000002
【特許請求の範囲】
【請求項１】
互いに反対方向へバネ力により付勢されている２個一対のケーブル保持ブロックと芯線挿通ブロックとが対向配置され、ケーブル保持ブロックは、ブロック本体の上面に、芯線に挿入されているカシメパイプを前端から突出させるよう光ファイバケーブルのケーブル保持部が形成されており、一方、芯線挿通ブロックは、ブロック本体のケーブル保持部に挿通してその前端から突出させたカシメパイプのストッパー部が形成されると共に、カシメパイプを当該ストッパー部に係止させた状態で光ファイバケーブルの芯線のみを挿通させる芯線挿通部が形成されていることを特徴とする光ファイバケーブルのカシメパイプ挿入装置。
【請求項２】
ケーブル保持部は、ブロック本体の上面略中央に前後方向に沿って形成されたケーブル保持溝と、ブロック本体の前端にケーブル保持溝と直線上に連通するようケーブル保持孔が形成されたガイドブロックとを備えて成る請求項１記載の光ファイバケーブルのカシメパイプ挿入装置。
【請求項３】
カシメパイプのストッパー部は、ブロック本体の後端面に形成されており、芯線挿通部は、ケーブル保持ブロックのケーブル保持孔に連通するよう芯線挿通孔にて形成されて成る請求項１記載の光ファイバケーブルのカシメパイプ挿通装置。
【発明の詳細な説明】
【技術分野】
【０００１】
本発明は、光ファイバケーブルを接続するための光コネクタにおけるストップリング内に設けられたカシメリング内側に光ファイバケーブルを挿入し、光ファイバケーブルの芯線にカシメ力を与えずにカシメリングのみをカシメることで光ファイバケーブルの外被を光コネクタに確実に固定させるためのカシメパイプに係り、当該カシメパイプを自動的に光ファイバケーブルの外被内部へ挿入するための光ファイバケーブルのカシメパイプ挿入装置に関する。
【背景技術】
【０００２】
従来、特許文献１に開示されているように、光ファイバケーブルの先端から外被を除去し、露出した抗張力線を所定長さに切断した状態で、先端側から抗張力線と芯線との間にカシメ座を挿入し、抗張力線を介して外側段差部が外被の端面に当接するまでカシメ座を押し込んだ後、予め光ファイバケーブルに挿入しておいたカシメリングを先端側に移動させ、抗張力線部分と外被先端部分を覆うようにしている。そして、芯線の先端部にフェルールを固定後、カシメリングを外側から専用カシメ具を使ってカシメることで光ファイバケーブルの結線部として固定させているのである。
【特許文献１】特開２００４−１３３３７１号公報
【発明の開示】
【発明が解決しようとする課題】
【０００３】
上記した従来技術によれば、カシメリングを外側からカシメたとしても、光ファイバケーブルの芯線にカシメ力を与えずに光ファイバケーブルの外被を光コネクタに確実に固定させることができるのであるが、ただ、従来においては全て手作業でもってカシメ座を外被の中に押し込む等、非常に面倒な挿入作業を必要とし、しかもカシメ座の精確な挿入位置決めも非常に困難なものとなる虞れがあった。
【０００４】
そこで、本発明は、叙上のような従来存した諸事情に鑑み創出されたもので、カシメ座となるカシメパイプを光ファイバケーブルの先端から外被の中に押し込むに際し、手作業による面倒な挿入作業を必要とせずに自動的に容易に押し込むことができ、しかもカシメパイプの挿入位置決めを精確に行えるようにした光ファイバケーブルのカシメパイプ挿入装置を提供することを目的とする。
【課題を解決するための手段】
【０００５】
上述した課題を解決するため、本発明にあっては、互いに反対方向へバネ力により付勢されている２個一対のケーブル保持ブロックと芯線挿通ブロックとが対向配置され、ケーブル保持ブロックは、ブロック本体の上面に、芯線に挿入されているカシメパイプを前端から突出させるよう光ファイバケーブルのケーブル保持部が形成されており、一方、芯線挿通ブロックは、ブロック本体のケーブル保持部に挿通してその前端から突出させたカシメパイプのストッパー部が形成されると共に、カシメパイプを当該ストッパー部に係止させた状態で光ファイバケーブルの芯線のみを挿通させる芯線挿通部が形成されているものである。
【０００６】
ケーブル保持部は、ブロック本体の上面略中央に前後方向に沿って形成されたケーブル保持溝と、ブロック本体の前端にケーブル保持溝と直線上に連通するようケーブル保持孔が形成されたガイドブロックとを備えて成るものとすることができる。
【０００７】
カシメパイプのストッパー部は、ブロック本体の後端面に形成されており、芯線挿通部は、ケーブル保持ブロックのケーブル保持孔に連通するよう芯線挿通孔にて形成されて成るものとすることができる。
【発明の効果】
【０００８】
本発明によれば、カシメパイプを光ファイバケーブルの先端から外被の中に押し込むに際し、手作業による面倒な挿入作業を必要とせずにケーブル保持ブロックと芯線挿通ブロックを両側から押しつけるだけで自動的に容易に押し込むことができ、しかもカシメパイプの挿入位置決めを精確に行えるようにすることができる。
【０００９】
すなわち、これは本発明が、互いに反対方向へバネ力により付勢されている２個一対のケーブル保持ブロックと芯線挿通ブロックとが対向配置され、ケーブル保持ブロックは、ブロック本体の上面に、芯線に挿入されているカシメパイプを前端から突出させるよう光ファイバケーブルのケーブル保持部が形成されており、一方、芯線挿通ブロックは、ブロック本体のケーブル保持部に挿通してその前端から突出させたカシメパイプのストッパー部が後端に形成されると共に、カシメパイプを当該ストッパー部に係止させた状態で光ファイバケーブルの芯線のみを挿通させる芯線挿通部が形成されているからであり、これにより、ケーブル保持ブロックと芯線挿通ブロックとを押しつけるだけの作業でカシメパイプを光ファイバケーブルの外被内側に自動的に且つ確実に押し込むことができ、例えばカシメパイプ先端が外被先端から約１ｍｍ程度露出した状態等となるようにカシメパイプの挿入位置決めを精確に行なうことができる。
【００１０】
ケーブル保持部は、ブロック本体の上面略中央に前後方向に沿って形成されたケーブル保持溝と、ブロック本体の前端にケーブル保持溝と直線上に連通するようケーブル保持孔が形成されたガイドブロックとを備えて成るので、光ファイバケーブルおよびカシメパイプの挿通作業が容易で精確な位置にセットすることができる。
【００１１】
カシメパイプのストッパー部は、ブロック本体の後端面に形成されており、芯線挿通部は、ブロック本体のケーブル保持孔に連通するよう芯線挿通孔にて形成されて成るので、光ファイバケーブル先端の芯線を芯線挿通ブロックの芯線挿通孔に押し込むだけで自動的にカシメパイプを係止させることができ、当該カシメパイプの外被内への挿入が極めて容易である。
【発明を実施するための最良の形態】
【００１２】
以下、図面を参照して本発明を実施するための最良の一形態を説明すると、図において示される符号１は、カシメ座としてのカシメパイプＳを自動的に光ファイバケーブルＰの外被Ｑ内部へ挿入するための本発明のカシメパイプ挿入装置に係る装置本体であり、装置本体１は、図１乃至図５に示したように、互いに反対方向へバネ力により付勢されている２個一対のケーブル保持ブロック２と芯線挿通ブロック３とを対向配置して構成されている。
【００１３】
而して、装置本体１は、ケーブル保持ブロック２と芯線挿通ブロック３の内部両側に前後方向に沿ってガイド軸４のガイド孔５、６がそれぞれ対向するように形成されている。ケーブル保持ブロック２のガイド孔５は、ガイド軸４が摺動自在に挿通する小径孔５ａとこれより大型の大径孔５ｂとを備えている。一方、芯線挿通ブロック３のガイド孔６は後端にスプリング収納孔６ａを備えている。
【００１４】
ケーブル保持ブロック２のガイド孔５に挿通されたガイド軸４の後端には、大径孔５ｂに摺動自在に挿通して段差部５ｃに係止されるストッパー７が突設されている。
【００１５】
芯線挿通ブロック３のガイド孔６に挿通されたガイド軸４の前端は当該ブロック３と一体に固定されており、スプリング収納孔６ａ内にはガイド軸４に巻装されたスプリング８が収納されている。
【００１６】
このスプリング８の前端はスプリング収納孔６ａの底部に当接されており、一方、後端はスプリング収納孔６ａより後方へ突出してケーブル保持ブロック２の後端に当接されており、これによって図４に示すようにケーブル保持ブロック２と芯線保持ブロック３とは所定の間隔ｌを置いて互いに反対方向へ付勢保持されている。
【００１７】
尚、この間隔ｌは、光ファイバケーブルＰの芯線Ｒに挿入されたカシメパイプＳの外被Ｑ先端部からの露出長ｍより僅かに（実際には１ｍｍ程度）短い距離に設定される。
【００１８】
ケーブル保持ブロック２は、矩形板状のブロック本体２Ａにて形成されており、このブロック本体２Ａの上面に光ファイバケーブルＰのケーブル保持部９が形成されている。
【００１９】
ケーブル保持部９は、ブロック本体２Ａの上面略中央に前後方向に沿って形成されたケーブル保持溝９ａと、ブロック本体２Ａの前端にケーブル保持溝９ａと直線上に連通するようケーブル保持孔９ｂが形成されたガイドブロック１０とを備えて成る。
【００２０】
一方、芯線挿通ブロック３は、ケーブル保持ブロック２と平面形状が略同形で且つ若干厚みのあるブロック本体３Ａにて形成されており、このブロック本体３Ａの後端面にカシメパイプＳのストッパー部１１が形成されると共に、ストッパー部１１と連通されるように芯線挿通部１２が形成されている。
【００２１】
ストッパー部１１は、ケーブル保持ブロック２のケーブル保持孔９ｂに対向するように光ファイバケーブルＰ先端のカシメパイプＳの先端が係止する係止凹部１１ａを以って形成されており、この係止凹部１１ａの中心部に光ファイバケーブルＰの芯線Ｒのみが挿通する芯線挿通孔１３が形成されている。
【００２２】
この芯線挿通孔１３はブロック本体３Ａの後端を貫通してブロック本体３Ａの上面略中央に開口状態に設けられた広幅の芯線通路１４と連通している。
【００２３】
次に、本構成におけるカシメパイプ挿入装置の使用方法について説明すると、先ず、図６に示すように、光ファイバケーブルＰの先端から外被Ｑを除去し、芯線Ｒ先端側からカシメパイプＳを挿入し、当該カシメパイプＳを外被Ｑの根元位置まで移動させておく。この状態で、図２乃至図４に示すように、カシメパイプＳが抜け落ちないように注意しながらケーブル保持ブロック２のケーブル保持部９におけるケーブル保持溝９ａに光ファイバケーブルＰを挿入する。
【００２４】
次いで、光ファイバケーブルＰ先端の芯線ＲおよびカシメパイプＳをガイドブロック１０に設けられたケーブル保持孔９ｂ内にカシメパイプＳの先端が芯線挿通ブロック３後端面のストッパー部１１として設けられた係止凹部１１ａに突き当る位置まで押し込む。このとき、光ファイバケーブルＰの芯線Ｒは係止凹部１１ａの中心部に設けられた芯線挿通孔１３を貫通してブロック本体３Ａ前方の芯線通路１４に挿入される。尚、このとき、外被Ｑの根元位置における抗張力線（ケブラ）Ｋは、挿入方向に対して反対方向へ折り返されている状態にしておくと作業がし易い。
【００２５】
そして、図２および図５に示すように、指先でケーブル保持ブロック２のケーブル保持溝９ａ内の光ファイバケーブルＰの外被Ｑ部分を押えながらケーブル保持ブロック２と芯線挿通ブロック３とをスプリング８の付勢力に抗して両ブロック２、３の対向端面が接触するまで押しつける。
【００２６】
かくしてカシメパイプＳの先端が芯線挿通ブロック３のストッパー部１１（係止凹部１１ａ）に当接係止されているためカシメパイプＳの後端側が光ファイバケーブルＰの外被Ｑ内側に挿入されることとなる。
【００２７】
このようにストッパー部１１に係止されたカシメパイプＳが光ファイバケーブルＰの外被Ｑの内側に挿入された際には、既述したように外被Ｑ先端よりカシメパイプＳが約１ｍｍ程度だけ露出するように設定される。
【００２８】
また、光ファイバケーブルＰの芯線Ｒ端部を収容するフェルール３１、フェルール３１を先端側に付勢するスプリング３２、スプリング３２の基端部を支持するストップリング３３、ストップリング３３の先端側を覆うように設けられたプラグフレーム３４、ストップリング３３の端部に取り付けられたブーツ３５それぞれから成る光コネクタ３０（図９参照）を光ファイバケーブルＰに取り付ける場合には、図８に示すように、光ファイバケーブルＰに予め挿入しておいたカシメリング３６を先端側に移動させて外被Ｑ先端部分を覆うようにしてから、芯線Ｒの先端部をフェルール３１に固定後、カシメリング３６を外側から不図示の専用カシメ具を使ってカシメることで光ファイバケーブルＰの結線部として固定させる。尚、このとき、図９に示したように抗張力線Ｋは、ストップリング３３の後端とカシメリング３６の先端間に挾着保持される。
【００２９】
ところで、既述の実施形態では、芯線挿通ブロック３の後端面に設けられたカシメパイプＳのストッパー部１１は係止凹部１１ａにて形成されているが、必ずしもこのような形状に限定されるものではなく、例えば芯線挿通孔１３の孔縁を垂直端面に形成し、この垂直端面にて代替することも可能である。
【図面の簡単な説明】
【００３０】
【図１】本発明を実施するための最良の形態を示す斜視図である。
【図２】同じく使用状態を示す平面図である。
【図３】同じく使用状態を示す平面図である。
【図４】図３中、Ａ−Ａ断面図である。
【図５】同じくブロックを押しつけた状態の断面図である。
【図６】（ａ）乃至（ｃ）は外被の根元位置までカシメパイプを挿入する作業工程を順次示すものである。
【図７】カシメパイプの後端側が光ファイバケーブルの外被内側に挿入された作業完成状態を示す一部切欠側面図である。
【図８】カシメリングを外被外側からカシメた状態の一部切欠断面図である。
【図９】光コネクタ全体の半断面図である。
【符号の説明】
【００３１】
Ｐ      光ファイバケーブル
Ｑ      外被
Ｒ      芯線
Ｓ      カシメパイプ
Ｋ      抗張力線
１      装置本体
２      ケーブル保持ブロック
２Ａ    ブロック本体
３      芯線挿通ブロック
３Ａ    ブロック本体
９      ケーブル保持部
９ａ    ケーブル保持溝
９ｂ    ケーブル保持孔
１０    ガイドブロック
１１    ストッパー部
１１ａ  係止凹部
１２    芯線挿通部
１３    芯線挿通孔
１４    芯線通路
【図１】
2006154652.tif 000003
【図２】
2006154652.tif 000004
【図３】
2006154652.tif 000005
【図４】
2006154652.tif 000006
【図５】
2006154652.tif 000007
【図６】
2006154652.tif 000008
【図７】
2006154652.tif 000009
【図８】
2006154652.tif 000010
【図９】
2006154652.tif 000011